(57)【要約】  【課題】  遊技盤上に遊技領域をより広く確保することが可能な弾球遊技機を提供する。  【解決手段】  遊技盤１２と、遊技球を遊技盤１２側に発射させる発射手段１１と、発射手段１１により発射された遊技球を遊技盤１２上の遊技領域１５の上部側に案内する案内手段とを備え、案内手段は、発射手段１１により発射された遊技球を遊技盤１２の後方でその上部側に向けて案内する上向き案内通路４１と、上向き案内通路４１の下流端側に接続され且つ上向き案内通路４１により案内されてきた遊技球を遊技盤１２の後側からその前側の遊技領域１５の上部側に案内する前向き案内通路５０とを備えたものである。【選択図】  図２
2005245750.tif 000002
【特許請求の範囲】
【請求項１】
遊技盤（１２）と、遊技球を前記遊技盤（１２）側に発射させる発射手段（１１）と、該発射手段（１１）により発射された遊技球を前記遊技盤（１２）上の遊技領域（１５）の上部側に案内する案内手段とを備えた弾球遊技機において、前記案内手段は、前記発射手段（１１）により発射された遊技球を前記遊技盤（１２）の後方でその上部側に向けて案内する上向き案内通路（４１）と、該上向き案内通路（４１）の下流端側に接続され且つ前記上向き案内通路（４１）により案内されてきた遊技球を前記遊技盤（１２）の後側からその前側の前記遊技領域（１５）の上部側に案内する前向き案内通路（５０）とを備えたことを特徴とする弾球遊技機。
【請求項２】
前記前向き案内通路（５０）の発射方向下流側に対応する位置に、前記前向き案内通路（５０）によって前記遊技盤（１２）の前側に向けて案内されてきた遊技球を前記遊技盤（１２）に沿う方向に案内する前側案内部材（５１）を、前記遊技盤（１２）の前側に略平行に配置される透明板（４ａ）の裏側に沿って配置したことを特徴とする請求項１に記載の弾球遊技機。
【請求項３】
前記前向き案内通路（５０）は、前記遊技盤（１２）に設けられた貫通孔（４７）に装着され、前記前側案内部材（５１）は、前記前向き案内通路（５０）の前側に一体に設けられていることを特徴とする請求項２に記載の弾球遊技機。
【請求項４】
前記発射手段（１１）は、前記上向き案内通路（４１）の上流側に配置される発射レール（８１）と、遊技球を貯留する貯留皿（７）から球送り手段（８４）により前記発射レール（８１）上に１個ずつ供給される遊技球を前記発射レール（８１）に沿って打撃する打撃手段（８３）とを備え、前記発射レール（８１）を、前記遊技盤（１２）を下側から支持する下部支承板（１４）の裏側に設けたことを特徴とする請求項１〜４の何れかに記載の弾球遊技機。
【請求項５】
前記上向き案内通路（４１）を、前記遊技盤（１２）の裏側に沿って配置したことを特徴とする請求項１〜４の何れかに記載の弾球遊技機。
【請求項６】
遊技盤（１２）に、前記上向き案内通路（４１）内を前側から視認可能な視認窓（９１）を設けたことを特徴とする請求項５に記載の弾球遊技機。
【請求項７】
前記上向き案内通路（４１）を、前記遊技盤（１２）の裏側を覆う裏カバー（３１）と一体に形成したことを特徴とする請求項１〜６の何れかに記載の弾球遊技機。
【発明の詳細な説明】
【技術分野】
【０００１】
本発明は、パチンコ機、アレンジボール機等、遊技球を遊技盤側に発射する発射手段と、この発射手段により発射された遊技球を遊技盤上の遊技領域の上部側に案内する案内レールとを備えた弾球遊技機に関するものである。
【背景技術】
【０００２】
パチンコ機やアレンジボール機等の弾球遊技機は、各種の遊技部品が装着された遊技盤と、遊技球を遊技盤側に発射する発射手段と、この発射手段により発射された遊技球を案内する案内レールとを備えており、発射手段で発射された遊技球は案内レールに案内されて遊技盤側の遊技領域の上部側に案内されるようになっている。
【０００３】
この種の弾球遊技機では、案内レールは、例えば遊技盤の前側に、遊技盤の下部側から左側部を経て上部側に至る略円弧状に配設されており、例えば遊技盤の右下に配置された発射手段から発射された遊技球は、この案内レールに沿って遊技盤の前側を通って遊技領域に到達するようになっている（例えば、特許文献１参照）。
【特許文献１】特開平１０−２６３１６５号公報
【発明の開示】
【発明が解決しようとする課題】
【０００４】
このように、従来の弾球遊技機では、案内レールが遊技盤の前側に配設され、発射球が遊技盤の前側を通って遊技領域に到達するように構成されているため、遊技盤の前側に遊技領域の他にその案内レールに沿った発射球の案内通路の領域を確保する必要があり、遊技領域を十分に広くできない欠点があった。
【０００５】
特に近年の弾球遊技機では、遊技領域内に配置される液晶表示装置等の表示画面が大型化する傾向にあるため、それに伴って遊技領域を広く確保する必要性が益々高まっている。
【０００６】
本発明は上記事情に鑑みてなされたものであり、遊技盤上に遊技領域をより広く確保することが可能な弾球遊技機を提供することを目的とする。
【課題を解決するための手段】
【０００７】
本発明は、遊技盤１２と、遊技球を前記遊技盤１２側に発射させる発射手段１１と、該発射手段１１により発射された遊技球を前記遊技盤１２上の遊技領域１５の上部側に案内する案内手段とを備えた弾球遊技機において、前記案内手段は、前記発射手段１１により発射された遊技球を前記遊技盤１２の後方でその上部側に向けて案内する上向き案内通路４１と、該上向き案内通路４１の下流端側に接続され且つ前記上向き案内通路４１により案内されてきた遊技球を前記遊技盤１２の後側からその前側の前記遊技領域１５の上部側に案内する前向き案内通路５０とを備えたものである。
【発明の効果】
【０００８】
本発明によれば、案内手段によって遊技盤１２の前側の領域が圧迫されることがなく、その分だけ遊技領域１５を広く確保することが可能である。
【発明を実施するための最良の形態】
【０００９】
以下、本発明の実施形態を図面に基づいて詳述する。図１〜図９は本発明をパチンコ機として具現化した第１の実施形態を例示している。なお、以下の説明では、パチンコ機に向かって右側を右側、向かって左側を左側とする。
【００１０】
図１〜図３において、１は矩形状の外枠で、その前側には前枠２が上下一対のヒンジ３を介して開閉自在に枢着されている。４はガラス扉、５は前面開閉扉で、これらは前枠２の窓孔６に対応して上下に配置され、前枠２に開閉自在に枢支されている。７は発射用の遊技球を貯留する上皿（貯留皿）で、前面開閉扉５の前側に装着され、上皿カバー８により覆われている。また、９は余剰球等を貯留する下皿で、前面開閉扉５の下側で前枠２の前側に配置され、下皿カバー１０により覆われている。下皿９の一側、例えば右側には、後述する発射手段１１を操作するための発射ハンドル１１ａが、前枠２の前側に突出状に配置されている。
【００１１】
１２は遊技盤で、前枠２の窓孔６に対応するように、前枠２の裏側の遊技盤装着枠１３に裏側から着脱自在に装着され、窓孔６の下部側で前枠２の裏側に装着された下部支承板１４により下側から支持されている。
【００１２】
遊技盤１２の前側には遊技領域１５が形成されており、この遊技領域１５は、その周囲を取り囲むように前向きに立設された遊技領域周壁部１６により外側の領域と区分されている。遊技領域１５内には、図２に示すように、中央表示装置１７、特別図柄始動手段１８、大入賞手段１９、普通図柄始動手段２０、普通入賞手段２１等の各種遊技部品が配置され、その最下部にはアウト口２２が設けられている。
【００１３】
中央表示装置１７は、遊技盤１２に前面側から装着された表示ケース２３と、この表示ケース２３の略中央に配置された例えば液晶式の特別図柄表示手段２４と、表示ケース２３の例えば上部側に配置された例えば７セグメント式の普通図柄表示手段２５とを備えている。
【００１４】
普通図柄表示手段２５は、通過ゲート等よりなる普通図柄始動手段２０が遊技球を検出することを条件に数字図柄等の普通図柄を所定時間変動表示して、予め定められた当たり態様又はそれ以外の外れ態様で停止するようになっている。
【００１５】
特別図柄始動手段１８は、例えば開閉自在な左右一対の開閉爪１８ａを備えた電動チューリップ等の開閉入賞手段により構成されており、普通図柄表示手段２５の変動後の停止図柄が予め定められた当たり態様となったときに、開閉爪１８ａが所定時間開放するようになっている。
【００１６】
特別図柄表示手段２４は、表示画面上に１個又は複数個、例えば左右方向に３個の特別図柄を変動表示可能に構成されており、特別図柄始動手段１８が遊技球を検出することを条件に、キャラクター画像等の演出画像と共に特別図柄を所定の変動パターンで変動表示して、所定の大当たり態様又はそれ以外の外れ態様で停止させるようになっている。
【００１７】
大入賞手段１９は、いわゆるアタッカーを構成するもので、例えば下部側の横軸廻りに開閉自在な開閉板１９ａを備え、特別図柄表示手段２４の変動後の停止図柄が予め定められた大当たり態様を表示することを条件に開閉板１９ａが前側に開放するようになっている。また、大入賞手段１９は、開閉板１９ａの開放後に所定時間（例えば３０秒）が経過したとき、又はその所定時間内に所定数（例えば１０個）の遊技球が入賞したときに開閉板１９ａを閉じると共に、入賞した遊技球が内部の特定領域を通過することを条件に、最大所定回数（例えば１６回）まで開閉動作を繰り返すようになっている。
【００１８】
遊技盤１２の裏側には、図３，図４に示すように裏カバー３１が装着されている。裏カバー３１は、中央表示装置１７等の遊技部品の裏側を覆うもので、例えば内部が透視可能な透明なプラスチック等により前面側が開口した略矩形箱形に形成されており、中央表示装置１７、特別図柄始動手段１８、大入賞手段１９、普通入賞手段２１、アウト口２２等を後側から覆い且つその前縁側を遊技盤１２の裏面側に当接させた状態で遊技盤１２に固定されている。
【００１９】
裏カバー３１の底面３１ａ上には、その後部側に下向きに開口する集球排出口３１ｂが形成され、底面３１ａはその集球排出口３１ｂ側に向かって傾斜状に形成されており、特別図柄始動手段１８、大入賞手段１９、普通入賞手段２１等の各入賞手段に入賞して遊技盤１２の裏側に案内された遊技球、及びアウト口２２から遊技盤１２の裏側に案内された遊技球は、底面３１ａ上に落下して１箇所に集められ、集球排出口３１ｂを経て機外に排出されるようになっている。
【００２０】
裏カバー３１の背面側には、図３に示すように、主制御基板３２を収納する主基板ケース３３、ランプ表示制御基板３４を収納するランプ表示基板ケース３５、音声制御基板３６を収納する音声基板ケース３７等が着脱自在に装着されている。
【００２１】
裏カバー３１の一側、例えば左側は、図４等に示すように、遊技盤１２の前側の遊技領域１５の周縁部に略沿うように例えば円弧状に形成されており、その円弧状の左側縁部から右側所定幅の領域が、その他の領域に比べて後方への膨出量の小さい扁平部３８となっている。
【００２２】
更に、遊技盤１２の裏側には、図４，図５に示すように、例えば遊技領域１５の左側周縁部に対応して上向き案内通路４１が設けられている。この上向き案内通路４１は、発射手段１１により発射された遊技球を遊技盤１２上の遊技領域１５の上部側に案内する案内手段を構成するもので、遊技盤１２の裏面及び裏カバー３１の左側縁部に沿って配置されており、例えば裏カバー３１と一体に形成されている。
【００２３】
上向き案内通路４１は、遊技盤１２の下端側の左右方向略中央の位置と、遊技領域１５の上部側周縁部近傍で且つその最上部よりも左側の位置とを結ぶように略円弧状に配置され、遊技盤１５から後方に向けて立設され且つ所定距離をおいて平行に配置された一対の側壁部４２，４３と、遊技盤１５に平行に配置され且つ側壁部４２，４３の後縁側を接続する後壁部４４とで前側に開放する断面略コの字型に形成されており、その前側を遊技盤１２の裏面側で塞ぐように遊技盤１２の裏面側に装着されることにより、遊技球が１個通過可能な通路を形成している。
【００２４】
上向き案内通路４１の上端側では、図６に示すように、後壁部４４がその上端側において前向きに略円弧状に屈曲して前向き案内壁４４ａを形成しており、上向き案内通路４１により上向きに案内されてきた遊技球はこの前向き案内壁４４ａにより遊技盤１２の前側に向けて滑らかに案内されるようになっている。
【００２５】
また、例えば上向き案内通路４１の下端側の所定範囲は、下側の側壁部４３のみで構成されており、その後側は後述する裏機構板６１によりカバーされるようになっているが、上向き案内通路４１の全体を略コの字型に形成してもよい。なお、上向き案内通路４１を、側壁部４２，４３の前縁側を接続する前壁部を一体に備えた筒状に形成してもよい。もちろん、上向き案内通路４１の断面形状は任意であり、円筒状、台形状、多角形状等でもよい。
【００２６】
上向き案内通路４１は、その上端側が発射口部材４６の後側に接続されている。発射口部材４６は、図６，図７に示すように、遊技領域周壁部１６の内側に沿って遊技盤１２を前後に貫通するように形成された発射連通孔（貫通孔）４７に例えば前側から着脱自在に装着されており、遊技盤１２の裏側に向けて開口する接続口４８と、遊技盤１２の前側で遊技盤１２及び遊技領域周壁部１６に沿って例えば斜め上向きに開口する排出口４９と、それら接続口４８と排出口４９とを接続する前向き案内通路５０と、前向き案内通路５０の発射方向下流側に設けられた前側案内部材５１とを例えば一体に備えている。
【００２７】
前向き案内通路５０は、上向き案内通路４１と共に案内手段を構成し、上向き案内通路４１により案内されてきた遊技球を遊技盤１２の裏側からその前側の遊技領域１５の上部側に案内するもので、接続口４８において上向き案内通路４１の上端側に接続されており、上向き案内通路４１側の側壁部４２，４３及び後壁部４４（前向き案内壁４４ａ）に夫々接続される側壁部５２，５３及び後壁部５４と、側壁部５２，５３の前縁側を接続する前壁部５５とで断面略矩形状に形成されている。
【００２８】
前向き案内通路５０は、上向き案内通路４１側から接続口４８に入った遊技球を排出口４９側に滑らかに案内するために例えば遊技領域周壁部１６に沿って前向きの傾斜状に形成されており、後壁部５４は上向き案内通路４１側の前向き案内壁４４ａに滑らかに接続されると共に、前壁部５５は前側に膨らむ略円弧状に屈曲している。
【００２９】
なお、遊技盤１２側の遊技領域周壁部１６には、図７に示すように、発射連通孔４７に対応して外側に凹入する凹入部５６が形成されており、発射口部材４６を発射連通孔４７に装着したとき、発射口部材４６の側壁部５３側がその凹入部５６に嵌合して、側壁部５３の内面側と遊技領域周壁部１６の内面側とが面一となるように構成されている。これにより、前向き案内通路５０から排出口４９を経て遊技領域１５側に排出される遊技球を、側壁部５３側から遊技領域周壁部１６側に向けて滑らかに転動させることができる。
【００３０】
前側案内部材５１は、前向き案内通路５０によって遊技盤１２の前側に向けて案内されてきた遊技球を遊技盤１２に沿う方向に案内すると共にガラス扉４のガラス板（透明板）４ａへの遊技球の衝突を防止するためのもので、排出口４９の発射方向下流側に対応してガラス板４ａの裏面側に沿って設けられ、例えば前壁部５５から遊技領域周壁部１６に沿って発射方向下流側に向けて一体に延設されている。
【００３１】
なお、前向き案内通路５０によって前向きに案内されてきた遊技球が、前側案内部材５１と前壁部５５との接続部分にあたる略円弧状の屈曲部分に衝突するように、前壁部５５及び前側案内部材５１を配置することが望ましい。
【００３２】
また、発射口部材４６の排出口４９には、遊技領域１５側から排出口４９側への遊技球の戻りを防止する戻り防止部材５７が設けられている。この戻り防止部材５７は、例えば面外方向に容易に弾性変形可能な例えば金属製の薄板で、側壁部５２の端部側から発射方向下流側に向けてその先端側が遊技領域周壁部１６側に近づくように斜めに突設されている。なお、この戻り防止部材５７は、例えばその略全体が前側案内部材５１の後側に配置されている。
【００３３】
遊技盤装着枠１３は門形状であって、前枠２の窓孔６に沿って前枠２の裏側に固定され、この遊技盤装着枠１３の下端部間に、前面開閉扉５の裏側に対応するように下部支承板１４が前枠２の裏側に固定されている。遊技盤装着枠１３には、図３，図９等に示すように、遊技盤１２を裏側から押圧して固定するように、裏機構板６１が上下一対のヒンジ６２により開閉自在に枢着され、閉状態で締結具６３により遊技盤装着枠１３に締結されるようになっている。
【００３４】
裏機構板６１には、その略中央部に裏カバー３１が嵌合する開口部６４が形成され、この開口部６４の上側に遊技球タンク６５が、左右一側に払い出し手段６６が、下側に通路ユニット６７が夫々設けられており、遊技球が大入賞手段１９等に入賞したとき、或いは図外の自動球貸し機から球貸し指令があったときに、遊技球タンク６５内の遊技球を払い出し手段６６により払い出し、その遊技球を通路ユニット６７、上皿接続口６７ａ等を経て上皿７側に案内するようになっている。
【００３５】
なお、通路ユニット６７には、払い出し手段６６から払い出された遊技球を上皿７側に案内する払い出し通路の他、上皿７側の溢れ球を下皿９側に案内する溢流通路、大入賞手段１９等の各入賞手段に入賞し又はアウト口２２から排出されて遊技盤１２の裏側に案内された遊技球を機外に案内する排出通路等が設けられており、この排出通路の入口としての排出接続口６７ｂが、開口部６４の下側に上向きに形成され、裏機構板６１を閉じたとき、この排出接続口６７ｂが裏カバー３１側の集球排出口３１ｂの下側に接続されるようになっている（図８参照）。
【００３６】
通路ユニット６７の後側には、設置部６７ｃを介して、払い出し制御基板６８を収納する払い出し基板ケース６８ａと、電源基板６９を収納する電源基板ケース６９ａとが着脱自在に取り付けられている。
【００３７】
また、裏機構板６１には、図９に示すように、その前面側で且つ開口部６４の周辺部に、裏カバー３１側の扁平部３８及び上向き案内通路４１の上部側に対応する裏カバー嵌合部７０と、後述する発射手段１１及び上向き案内通路４１の下部側に対応する発射カバー部７１とが、共に後ろ向きの凹入状に設けられている。
【００３８】
下部支承板１４は例えば合成樹脂製であって、図２，図４等に示すように、遊技盤１２の下側を支持する遊技盤支持部７２と、この遊技盤支持部７２の前縁側から上方に突設する左右一対の起立板部７３とがその上部側に、払い出し手段６６から払い出された遊技球を上皿７側に案内する払い出し案内通路７４、前面開閉扉５を開いたときに払い出し案内通路７４から零れた遊技球を下皿９側に案内する零れ球案内通路７５、音声発生手段としてのスピーカ７６が裏側から装着されるスピーカ装着部７７等が前側に、夫々一体に形成されている。
【００３９】
発射手段１１は、発射レール８１、発射モータ８２及び打撃槌（打撃手段）８３等を備え、発射ハンドル１１ａを操作したときに、発射モータ８２により打撃槌８３が揺動して、前面開閉扉５の裏側に装着された球送り手段８４により上皿７から発射レール８１上に１個ずつ供給される遊技球を発射レール８１に沿って上向き案内通路４１側に発射させるようになっている。
【００４０】
発射レール８１は、前枠２の下部右側で且つ下部支承板１４の裏側に、発射レール装着板８４ａを介して着脱自在に装着されている。発射レール８１は、遊技盤１２側の上向き案内通路４１の上流側に対応するように、左上がりの傾斜状に着脱自在に装着されており、その下流側端部と上向き案内通路４１の上流側端部との間には、ファール球を下皿９側に案内するファール球案内通路８５（図４）が設けられている。
【００４１】
発射レール８１及び上向き案内通路４１の上流端（下端）側は、その後側が裏機構板６１側の発射カバー部７１により覆われ、遊技球の後側への落下が阻止されるようになっている。なお、裏カバー３１側の集球排出口３１ｂ及び裏機構板６１側の排出接続口６９は、図８に示すように、発射レール８１、上向き案内通路４１等よりも後側に位置しており、裏カバー３１内で集球された遊技球は発射レール８１等の後側を通って機外に排出されるようになっている。
【００４２】
球送り手段８４は、図８に示すように、前面開閉扉５が閉状態のとき、下部支承板１４を介して発射レール８１の上流側端部の前側に近接するように、前面開閉扉５の裏側に着脱自在に装着されている。球送り手段８４は、図示しない連動機構により打撃槌８３の揺動動作に連動して作動するようになっており、上皿７側から供給される遊技球を、打撃槌８３の揺動毎に、下部支承板１４等に設けられた球供給孔８６を介して発射レール８１上に１個ずつ供給するようになっている。
【００４３】
なお、球送り手段８４は、前面開閉板５を構成する板金等よりなる上皿台板５ａの裏側に、球送り装着ケース８７を介して装着されており、上皿７側からの遊技球はこの球送り装着ケース８７に設けられた球供給通路８８を経て球送り手段８４側に送られるようになっている。この球供給通路８８の底板には、下皿９側に連通する球抜き口８９と、この球抜き口８９を手動にて開閉可能な球抜き開閉板９０が設けられており、遊技者が図示しない操作レバーを操作したとき、球抜き開閉板９０が球抜き口８９を開放して、球送り手段８４よりも上流側の遊技球が下皿９側に案内されるようになっている。
【００４４】
なお、発射モータ８２、打撃槌８３等は、発射レール８１の上流側に対応して下部支承板１４の裏側に着脱自在に装着されている。
【００４５】
上記構成のパチンコ機において、遊技者が発射ハンドル１１ａを操作すると、発射手段１１の打撃槌８３がその発射ハンドル１１ａの操作量に対応する所定の強さで間欠的に揺動を繰り返すと共に、これと連動して球送り手段８４により上皿７側の遊技球が下部支承板１４の球供給孔８６を介して発射レール８１上に１個ずつ供給され、これによって遊技球が発射レール８１に沿って発射される。
【００４６】
発射された遊技球は、発射レール８１からファール球案内通路８５上を通過し、更に上向き案内通路４１に沿って遊技盤１２の裏側を上向きに走行する。十分な速度で上向き案内通路４１内を上向きに走行した遊技球は、その上端側で前向き案内壁４４ａにより前向きに進路を変えつつ発射口部材４６側の接続口４８を介して前向き案内通路５０側に進入する。そして、この前向き案内通路５０に案内されて前斜め前方に向けて遊技盤１２をその後側から前側に通過した遊技球は、ガラス板４ａに沿って配置された前側案内部材５１の裏側に衝突してその進路を遊技盤１２に沿った向きに変えつつ、その遠心力によって側壁部５２から遊技領域周壁部１６の内面側に沿って排出口４９から遊技領域１５の上部側に排出される。
【００４７】
以上のように、本発明のパチンコ機では、発射手段１１により発射された遊技球を遊技盤１２上の遊技領域１５の上部側に案内する案内手段として、発射手段１１により発射された遊技球を遊技盤１２の後方でその上部側に向けて案内する上向き案内通路４１と、この上向き案内通路４１の下流端側に接続され且つ上向き案内通路４１により案内されてきた遊技球を遊技盤１２の後側からその前側の遊技領域１５の上部側に案内する前向き案内通路５０とを備えているため、発射された遊技球の通過する領域によって遊技盤１２の前側の領域が圧迫されることがなく、その分だけ遊技領域１５を広く確保することが可能である。
【００４８】
前向き案内通路５０の発射方向下流側に対応する位置に、前向き案内通路５０によって遊技盤１２の前側に向けて案内されてきた遊技球を遊技盤１２に沿う方向に案内する前側案内部材５１を、ガラス板４ａの裏側に沿って配置しているため、前向き案内通路５０によって遊技盤の前側に向けて案内されてきた遊技球がガラス板４ａに直接衝突することを防止できる。
【００４９】
前向き案内通路５０は、遊技盤１２を前後に貫通するように設けられた発射連通孔４７に装着され、前側案内部材５１は、前向き案内通路５０の前側に一体に設けられているため、前向き案内通路５０及び前側案内部材５１の遊技盤１２への着脱が容易であると共に、前側案内部材５１の遊技盤１２側への取付強度を確保しやすいという利点もある。
【００５０】
また、発射レール８１を、遊技盤１２を下側から支持する下部支承板１４の裏側に設けているため、遊技盤１２の裏側に配置された上向き案内通路４１側に無理なく接続することができ、構成を簡略化できる。
【００５１】
上向き案内通路４１を、遊技盤１２の裏側に沿って配置しているため、スペースに無駄が無く、また遊技盤１２への上向き案内通路４１の固定が容易である。更に、上向き案内通路４１を、遊技盤１２の裏側を覆う裏カバー３１と一体に形成しているため、部品点数を削減でき、また組み立て作業も容易となる。
【００５２】
図１０及び図１１は本発明の第２の実施形態を例示し、遊技盤１２に、上向き案内通路４１内を前側から視認可能な視認窓９１を設けた例を示している。
【００５３】
視認窓９１は、図１１に示すように、上向き案内通路４１の長手方向の少なくとも一部に対応して遊技盤１２に形成された例えばスリット状の透視孔９２と、この透視孔９２の前側を透視可能に閉鎖する前レンズ部９３と、透視孔９２の後側を透視可能に閉鎖する後レンズ部９４とを備えている。なお、透視孔９２の幅が遊技球の直径よりも十分に小さい場合には、前レンズ部９３、後レンズ部９４の何れか一方又は両方を省略してもよい。
【００５４】
以上のような構成とすることで、遊技者は上向き案内通路４１内での発射球の状態を確認することができ、遊技者の安心感を高めることができると共に、遊技盤１２の裏側での遊技球の状態を見ることができることにより興趣も向上する利点がある。
【００５５】
図１２は本発明の第３の実施形態を例示し、前側案内部材５１の裏側に、前向き案内通路５０により案内されてきた遊技球の衝突位置に対応して弾性部材９５を設けた例を示している。この弾性部材９５は、例えば金属製の板バネにより構成され、前側案内部材５１上で且つ前向き案内通路５０を下流側に延長した位置に設けられており、前側案内部材５１側から発射方向下流側に向けてその先端側が遊技盤１２側に近づくように斜めに突設されている。
【００５６】
このような構成とすることにより、上向き案内通路４１、前向き案内通路５０により遊技盤１２の後側から前側に案内されてきた遊技球は、弾性部材９５に衝突し、その進行方向を遊技盤１２の前面側に沿った方向に変更されて遊技領域１５側に排出されるため、遊技球をよりスムーズに遊技領域１５側に案内できるだけでなく、前側案内部材５１への遊技球の衝突による前側案内部材５１の破損や摩耗を防止でき、また衝突による衝撃音を抑えることができる利点もある。
【００５７】
なお、図１３に示すように、弾性部材９５を排出口４９を略閉鎖して遊技球の戻りを防止できる程度の大きさに形成すれば、この弾性部材９５を戻り防止部材５７としても利用可能である。
【００５８】
以上、本発明の実施形態について詳述したが、本発明はこれらの実施形態に限定されるものではなく、本発明の趣旨を逸脱しない範囲で種々の変更が可能である。例えば、上向き案内手段４１は、裏カバー３１とは別体として形成してもよく、また、遊技盤１２の裏面から離間した位置に配置してもよい。前向き案内通路５０は上向き案内通路４１と一体に形成してもよい。
【００５９】
発射手段１１の打撃手段は、遊技盤１２の右下に設ける必要はなく、例えば遊技盤１２の左下側に設けて略鉛直上向きに遊技球を発射させるように構成してもよい。発射手段１１の打撃手段はソレノイド等により構成してもよい。
【００６０】
更に、実施形態ではパチンコ機を例に挙げて説明したが、アレンジボール機、雀球遊技機、その他の各種の弾球遊技機においても同様に実施可能であることは言うまでもない。
【図面の簡単な説明】
【００６１】
【図１】本発明の第１の実施形態を示すパチンコ機の全体斜視図である。
【図２】本発明の第１の実施形態を示すパチンコ機の前面開閉扉を除いた状態での正面図である。
【図３】本発明の第１の実施形態を示すパチンコ機の背面図である。
【図４】本発明の第１の実施形態を示すパチンコ機の裏機構板を除いた状態での背面要部断面図である。
【図５】本発明の第１の実施形態を示すパチンコ機の横断面図である。
【図６】本発明の第１の実施形態を示すパチンコ機の発射口部材及びその近傍の長手方向に沿った断面図である。
【図７】本発明の第１の実施形態を示すパチンコ機の発射口部材及びその近傍の正面要部断面図である。
【図８】本発明の第１の実施形態を示すパチンコ機の発射手段近傍の縦断面図である。
【図９】本発明の第１の実施形態を示すパチンコ機の裏機構板を開いた状態での全体斜視図である。
【図１０】本発明の第２の実施形態を示すパチンコ機の前面開閉扉を除いた状態での正面図である。
【図１１】本発明の第２の実施形態を示すパチンコ機の横断面図である。
【図１２】本発明の第３の実施形態を示すパチンコ機の発射口部材及びその近傍の長手方向に沿った断面図である。
【図１３】本発明の変形例を示すパチンコ機の発射口部材及びその近傍の長手方向に沿った断面図である。
【符号の説明】
【００６２】
４ａ  ガラス板（透明板）
７    上皿（貯留皿）
１１    発射手段
１２    遊技盤
１４    下部支承板
１５    遊技領域
３１    裏カバー
４１    上向き案内通路
４７    発射連通孔（貫通孔）
５０    前向き案内通路
５１    前側案内部材
８１    発射レール
８３    打撃槌（打撃手段）
８４    球送り手段
９１    視認窓
【図１】
2005245750.tif 000003
【図２】
2005245750.tif 000004
【図３】
2005245750.tif 000005
【図４】
2005245750.tif 000006
【図５】
2005245750.tif 000007
【図６】
2005245750.tif 000008
【図７】
2005245750.tif 000009
【図８】
2005245750.tif 000010
【図９】
2005245750.tif 000011
【図１０】
2005245750.tif 000012
【図１１】
2005245750.tif 000013
【図１２】
2005245750.tif 000014
【図１３】
2005245750.tif 000015